(57)【特許請求の範囲】
【請求項１】
モータを内蔵した本体と、該本体の前面下部から前方へ延びて、前記モータを駆動源としてその長手方向に沿って交互に往復動する２枚の切断刃を有するヘッジトリマであって、
前記本体の前面側に設けたフロントハンドルと、前記本体の後面上部から後方に延びる１つのメインハンドルと、前記本体の後面下部の左右から後方に延びる２つの補助ハンドルと、軸方向に移動して前記モータを起動するためのメインスイッチをオンさせる作動部材を備え、
前記２つの補助ハンドルは相互の後端部が連結されてループ形状を有し、かつその内周側に沿ってループ形状に連結された２つのスイッチレバーを備えて、  前記フロントハンドルのスイッチレバー、前記メインハンドルのスイッチレバー、前記２つの補助ハンドルの内一方の補助ハンドルのスイッチレバーのいずれか二つのスイッチレバーをオン操作して前記モータを起動させる構成とされ、
前記作動部材は、放射方向に張り出す三つの係合片を備え、第１係合片を介して前記フロントハンドルのスイッチレバーのオン操作が前記作動部材に伝達され、第２係合片を介して前記メインハンドルのスイッチレバーのオン操作が前記作動部材に伝達され、第３係合片を介して前記補助ハンドルのスイッチレバーのオン操作が前記作動部材に伝達され、
前記フロントハンドルのスイッチレバーのオン操作による前記作動部材の移動距離と、前記メインハンドルのスイッチレバーのオン操作による前記作動部材の移動距離と、前記補助ハンドルのスイッチレバーのオン操作による前記作動部材の移動距離のいずれか２つが合計された距離だけ前記作動部材が移動すると、前記メインスイッチがオンするヘッジトリマ。
【請求項２】
請求項１記載のヘッジトリマであって、前記補助ハンドルのスイッチレバーのオン操作をリンクアームの傾動動作を介して前記作動部材に伝達する構成としたヘッジトリマ。
【発明の詳細な説明】
【０００１】
【発明の属する技術分野】
この発明は、例えば庭木や生け垣等の樹木を剪定（トリミング）する場合に用いられるヘッジトリマに関する。
【０００２】
【従来の技術】
例えば、上記ヘッジトリマは、フロントハンドルとメインハンドルを有する本体と、該本体の前部から前方へ長く延びる２枚の切断刃（ブレード）を備えており、使用者がフロントハンドルとメインハンドルの両方を把持してそれぞれに設けたスイッチをオン操作することにより２枚の切断刃がその長手方向に沿って交互に往復動する構成となっている。２枚の切断刃は、その長手方向に一定の間隔をおいて側方へ張り出す複数の刃先を備えており、これを交互に往復動させて該両切断刃の刃先間に庭木の枝等を噛み込ませて切断することができる。
このヘッジトリマは、誤作動を防止するため、使用者が一方の手で本体の前部のフロントハンドルを把持し、他方の手で本体後部のメインハンドルを把持してそれぞれのスイッチを共にオン操作した時にのみ作動するようになっている。
【０００３】
ところが、このヘッジトリマを用いて、切断刃が届きにくい高所や遠所の枝木を剪定する場合には、少しでも楽な姿勢で剪定作業をするために本体の後部側を両手で把持して使用したい場合があり、このために従来本体後部に補助ハンドルを追加設定し、該補助ハンドルとメインハンドルを把持してそれぞれに設けたスイッチをオン操作した状態でも当該ヘッジトリマを作動させることができるものが提供されていた。例えば、ドイツ連邦共和国特許ＤＥ４４２１７４６号公報にこの技術が開示されている。
さらに、図１１に示すように生け垣Ｇの側面を剪定する場合には、使用者はヘッジトリマ１００を横へ９０゜傾けて切断刃１１０を縦向きにした状態で把持する。通常この場合には、使用者自身が上半身を横へ倒した姿勢をとることにより当該ヘッジトリマ１００の切断刃１１０を縦向きにしていたが、これでは使用者の姿勢が窮屈になって楽に剪定作業を行うことができないため、従来は例えば図９および図１０に示すように工具本体１０１の後部にメインハンドル１０２を機軸Ｊ回りに回転可能に設けて、使用者が体を傾かせることなく真っ直ぐに立った楽な姿勢（正立姿勢）のまま切断刃１１０を縦向きにした状態に把持できるものが提供されていた。この回転式メインハンドル１０２に関する技術が、例えば同じくドイツ連邦共和国特許ＤＥ１９５３２２９９号公報に開示されている。なお、本明細書において、切断刃が延びる方向に沿った軸線をヘッジトリマの機軸Ｊとする。
【０００４】
【発明が解決しようとする課題】
このように、従来様々な使用形態を考慮して、本体後部に補助ハンドルを設けたものが提供され、またメインハンドルを回転させて正立姿勢のままで切断刃を縦向きにした状態に把持することができるものが提供されていた。
しかしながら、後者のメインハンドルを機軸回りに回転させる構成のものでは、切断刃を縦向きあるいは横向きにした状態に持ち替えるたびにメインハンドルを本体に対して回転させる操作をする必要があり、この点で操作が面倒であり、従って使い勝手がよくなかった。
本発明では、高所等の剪定をする場合のために本体の後部に補助ハンドルを備え、かつ従来のような切り換え操作をすることなく、正立姿勢のままで（体を横へ倒した姿勢をとることなく）切断刃の向きを横向きと縦向きに変更して剪定作業を行うことができるヘッジトリマを提供することを目的とする。
【０００５】
【課題を解決するための手段】
このため、本発明は前記各請求項に記載した構成のヘッジトリマとした。
請求項１記載のヘッジトリマによれば、１つのメインハンドルと２つの補助ハンドルが本体の後面から後方へ延びる状態で設けられており、この３つのハンドルが本体の後面上部と、後面下部の左右に配置されているので、使用者はメインハンドルと一方の補助ハンドルを把持して、高所や遠所の剪定作業を楽に行うことができる。
しかも、切断刃を横向きの状態から縦向きにする場合に、従来のように本体に対してメインハンドルを回転させるといった面倒な操作することなく、当該ヘッジトリマ全体を横へ９０゜傾ければよい。この切断刃を縦向きにした状態において、フロントハンドルと一方の補助ハンドル、あるいはメインハンドルと一方の補助ハンドルを把持することにより体を横に倒すことなく正立姿勢のままで当該ヘッジトリマを把持して生け垣の側面等の剪定作業を行うことができる。
また、請求項１記載のヘッジトリマによれば、斬新な外観のハンドルであるので、当該ヘッジトリマの商品価値を高めることができるとともに、当該ヘッジトリマの駆体としての強度を高めることができる。
さらに、請求項１記載のヘッジトリマによれば、誤作動を防止しつつ、切断刃の届きにくい高所や遠所の枝木を楽な姿勢で剪定することができる。
請求項１記載のヘッジトリマによれば、フロントハンドルのスイッチレバーのオン操作による作動部材の移動距離、メインハンドルのスイッチレバーのオン操作による作動部材の移動距離、補助ハンドルのスイッチレバーのオン操作による作動軸の移動距離のいずれか２つの移動距離が合計されることにより作動軸によりメインスイッチがオンされ、いずれか一つのスイッチレバーをオン操作しただけでは作動軸の移動距離が不十分であるためメインスイッチはオンされず、従ってヘッジトリマは作動しない。
請求項２記載のヘッジトリマによれば、スイッチレバーの操作を確実にメインスイッチに伝達することができる。
【０００６】
【発明の実施の形態】
次に、本発明の実施形態を図１〜図８に基づいて説明する。図１は、本実施形態のヘッジトリマ１を示している。
このヘッジトリマ１は、本体２と、該本体２の前面側（図において右側）に設けたフロントハンドル１０と、本体２の前面下部から前方へ延びる２枚の切断刃３，４と、本体２の後面上部（図において左側）から後方へ延びる１つのメインハンドル２０と、本体２の後面下部の左右から後方へ延びる２つの補助ハンドル３０，４０を備えている。フロントハンドル１０、メインハンドル２０、補助ハンドル３０，４０には、それぞれスイッチレバー１１，２１，３１，４１が設けられている。
【０００７】
フロントハンドル１０は、概ね逆Ｕ字形のアーチ形状を有し、本体２の右側部から左側部に架け渡した状態に設けられている。フロントハンドル１０のスイッチレバー１１も該フロントハンドル１０と同様Ｕ字形状を有しており、該フロントハンドル１０の後面側に沿って配置されている。このスイッチレバー１１は、その先端部を支持軸１２を介して前後に傾動可能に設けられている。
また、このフロントハンドル１０は、図２に示すように当該ヘッジトリマ１を側方から見ると、その上部側ほど前側に変位する方向に傾斜して設けられている。
このフロントハンドル１０の前側には、切断時における切断砕（生け垣の切り屑等）がフロントハンドル１０を把持する手に飛散しないように遮蔽するためのセーフティガード（遮蔽板）５が取り付けられている。
【０００８】
メインハンドル２０は、本体２の後部上側から後方へ延びており、その後端部には電源コード６が引き出されている。このメインハンドル２０の内側（下面側）に沿ってスイッチレバー２１が傾動可能に設けられている。このメインハンドル２０の下側であって、本体２の後部下側から上記補助ハンドル３０，４０が左右対をなして後方へ延びている。両補助ハンドル３０，４０の後端部側はそれぞれ円弧形状に湾曲してループ形状に連結されている。両補助ハンドル３０，４０の内側（相互に対向する面側）に沿って、それぞれスイッチレバー３１，４１が傾動可能に設けられている。
メインハンドル２０と両補助ハンドル３０，４０は、本体２の後面３箇所であって、その上部の１箇所と下部左右の２箇所から後方へ延びている。この構成が図６〜図８に模式的に示されている。以下の説明では、図６において補助ハンドル３０，４０を使用者から見て（本体２の後方から見て）右側の補助ハンドル３０を右補助ハンドル３０といい、左側の補助ハンドル４０を左補助ハンドル４０といい、これに伴って右スイッチレバー３１、左スイッチレバー４１を称してそれぞれ区別する。なお、各スイッチレバー１１，２１，３１，４１についてはさらに後述する。
【０００９】
次に、本例のヘッジトリマ１の内部構造について説明する。図２および図３に示すように本体２のほぼ中央に駆動モータ５０が内蔵されている。この駆動モータ５０のモータ軸５０ｄは軸受け５０ｂ，５０ｃを介して本体ハウジング２ａに回転可能に支持されている。モータ軸５０ｄの先端部（図２および図３において下端部）にはギヤ部５０ａが形成されており、このギヤ部５０ａは駆動ギヤ５１に噛み合わされている。この駆動ギヤ５１は、皿ばね５２，５２を介して中間スリーブ５３の外周側に回転について一体化されている。中間スリーブ５３の内周側には断面矩形の捩りばね５４が装着されている。この捩りばね５４は、中間スリーブ５３の内周側に同軸に装着された駆動スリーブ５６の内周側との間に跨って装着されている。この捩りばね５４の一端側は、中間スリーブ５３の上側口元に装着された規制スリーブ５９に固定され、他端側は上記駆動スリーブ５６に固定されている。この捩りばね５４の捩り方向（その径が大きくなる方向）の付勢力により生ずる摩擦抵抗により中間スリーブ５３と駆動スリーブ５６が回転について一体化されている。また、規制スリーブ５９も、これらと一体で回転する。駆動スリーブ５６（従って駆動ギヤ５１）および規制スリーブ５９は、軸受け６１，６２を介して本体ハウジング２ａに回転可能に支持された駆動軸６０上に固定されている。規制スリーブ５９の機能については後述する。
【００１０】
駆動スリーブ５６の下側には２枚の偏心円板５７，５８が相互に１８０゜反対側に偏心して取り付けられている。この両偏心円板５７，５８は、それぞれ切断刃３，４の後端部に形成したガイド孔３ａ，４ａに挿入されている。ガイド孔３ａ，４ａは、共に切断刃３，４の幅方向に長い長溝孔形状に形成されている。この２枚の切断刃３，４は、本体２の前部に取り付けたガイドプレート７により相互に重ね合わされた状態に保持され、かつその長手方向に往復動可能に案内されている。
以上の構成により、駆動モータ５０が起動してギヤ部５０ａが回転すると、駆動ギヤ５１および中間スリーブ５３、駆動スリーブ５６および規制スリーブ５９が一体で回転する。駆動スリーブ５６が回転すると、両偏心円板５７，５８が駆動軸６０の軸心回りに回転し、これにより２枚の切断刃３，４が交互に往復動する。
切断刃３，４、駆動スリーブ５６を経て中間スリーブ５３に一定以上の外部トルクが付加されると、駆動ギヤ５１が皿ばね５２，５２の付勢力に抗して中間スリーブ５３に対して回転して過負荷が遮断される。一定の付勢力を有する皿ばね５２，５２を介して駆動ギヤ５１と中間スリーブ５３が回転について一体化されており、これがいわゆるトルクリミッタを構成している。
【００１１】
次に、駆動モータ５０は、本体２の上部に配置したメインスイッチ７０をオンすることにより起動する。このメインスイッチ７０は、フロントハンドル１０のスイッチレバー１１とメインハンドル２０のスイッチレバー２１を同時にオン操作した時、またはメインハンドル２０のスイッチレバー２１と一方の補助ハンドル３０（または４０）のスイッチレバー３１（または４１）をオン操作した時にオンする。以下、この構成について説明する。
フロントハンドル１０のスイッチレバー１１は、支持軸１２を中心にして前後に傾動する。スイッチレバー１１の上部とフロントハンドル１０の上部との間には圧縮ばね１４が介装されている。このため、スイッチレバー１１はフロントハンドル１０から離れる方向（図２および図３において反時計回り方向、すなわちオフ側）に付勢されている。この圧縮ばね１４に抗してスイッチレバー１１をフロントハンドル１０に接近する方向（図２および図３において時計回り方向、すなわちオン側）に傾動させる操作がオン操作となる。
【００１２】
上記支持軸１２には作動アーム１３の基端側が取り付けられている。この作動アーム１３はスイッチレバー１１と一体で傾動する。作動アーム１３の先端側は、本体ハウジング２ａに上下動可能に設けた作動軸７１に係合している。この作動軸７１は圧縮ばね７１ａによりその軸方向下側（メインスイッチ７０から離れる方向）に向けて付勢されている。
作動軸７１の軸方向ほぼ中程の位置には、図４に示すように３つの係合片７２ａ，７２ｂ，７２ｃを有するリフタプレート７２が固定されている。このリフタプレート７２の３つの係合片７２ａ，７２ｂ，７２ｃは、該リフタプレート７２の軸回り３等分の間隔をおいて放射方向に張り出している。このリフタプレート７２の第１係合片７２ａに上記作動アーム１３の先端側が下側から係合している（係合状態は図示されていない）。
【００１３】
このため、スイッチレバー１１のオン側の傾動操作（オン操作）により作動アーム１３が図２において時計回り方向に傾動すると、その先端側が上方へ変位することによりリフタプレート７２が持ち上げられ、これにより作動軸７１が圧縮ばね７１ａに抗してその軸方向上側へ一定距離だけ移動する。このスイッチレバー１１のオン操作のみでは、作動軸７１の移動距離は不十分であり、その上端に取り付けた作動板７３がメインスイッチ７０のボタン７０ａを押し込んでオンさせるまでには至らない。なお、作動板７３と作動軸７１の上端との間には圧縮ばね７４が介装されており、この圧縮ばね７４の付勢力はメインスイッチ７０のボタン７０ａをオフ側に付勢する力よりも大きく設定されている。このため、メインスイッチ７０のボタン７０ａは、作動板７３が作動軸７１に対して変位することなく、オン側に押し込まれ、オンした後圧縮ばね７４に抗して作動軸７１に接近する方向に変位することにより、メインスイッチ７０がオンした後にも作動軸７１の上昇が許容され、これによりボタン７０ａの確実な押し込み動作、ひいてはメインスイッチ７０の確実なオン動作がなされるようになっている。
メインスイッチ７０のボタン７０ａをオンさせるには、他のスイッチレバー２１（または３１，４１）をオン操作する必要がある。
【００１４】
メインハンドル２０のスイッチレバー２１は、その後端側の支持軸２１ａを中心にして上下に傾動可能に支持されている。このスイッチレバー２１とメインハンドル２０との間にも圧縮ばね２２が介装されており、該スイッチレバー２１のオン操作はこの圧縮ばね２２に抗してなされる。このスイッチレバー２１の先端側が上記リフタプレート７２の第２係合片７２ｂに対して下側から係合している（図では見えていない）。
このため、メインハンドル２０を把持しつつスイッチレバー２１を圧縮ばね２２に抗してオン側に操作すると、その先端側が上昇してリフタプレート７２を上側に持ち上げ、これによっても作動軸７１が圧縮ばね７１ａに抗して上昇する。メインハンドル２０のスイッチレバー２１のオン操作による上昇距離と、フロントハンドル１０のスイッチレバー１１のオン操作による上昇距離が合計されることにより作動軸７１は、メインスイッチ７０のボタン７０ａを押し込んでオンさせるために必要な距離だけ上昇する。すなわち、フロントハンドル１０のスイッチレバー１１とメインハンドル２０のスイッチレバー２１を同時にオン操作すると、メインスイッチ７０がオンして駆動モータ５０が起動し、これにより当該ヘッジトリマ１が作動する。何れか一方のスイッチレバー１１（または２１）だけをオン操作しても、作動軸７１の移動距離が不十分であるため、メインスイッチ７０はオンせず、従ってヘッジトリマ１は動作しない。
【００１５】
次に、前記したように補助ハンドル３０，４０は相互の後端部同士が連結されてループ形状を形成している。また、左右スイッチレバー３１，４１の前後両端部も相互に連結されてループ形状を形成している。ループ形状を有する補助ハンドル３０，４０の内周側に同じくループ形状を有する左右スイッチレバー３１，４１が配置されている。図５にはこのループ形状を有する左右スイッチレバー３１，４１が単独で示されている。
この左右スイッチレバー３１，４１の後ろ側連結部ｓｒには支持軸部３０ａ，３０ａがその上下両面から突き出すように形成されており、この支持軸部３０ａ，３０ａを介して両スイッチレバー３１，４１が補助ハンドル３０，４０の後ろ側連結部ｈｒに水平方向（図２および図３において紙面に直交する方向）へ一体で回動可能に支持されている。
右補助ハンドル３０と右スイッチレバー３１との間、左補助ハンドル４０と左スイッチレバー４１との間には、それぞれ圧縮ばね３２，４２が介装されている。この両圧縮ばね３２，４２により左右スイッチレバー３１，４１は、それぞれオフ側（補助ハンドル３０，４０から離れる方向）に付勢されている。
【００１６】
左右スイッチレバー３１，４１の前側連結部ｓｆには、リンクアーム係合部３３が設けられている。このリンクアーム係合部３３は、その中央を境にして左右に下るガイド孔３３ａを有している。図２および図３に示すようにこのガイド孔３３ａには、作動軸３４が挿通されている。この作動軸３４の下端には半球形状の支持球３４ａが形成されており、この支持球３４ａは上記ガイド孔３３ａに連通して設けた凹部３３ｂに摺接可能に収納されている。この凹部３３ｂは、断面半球形状かつ左右方向に円弧形状を有している。作動軸３４の上端は、支持軸３５ａを介してリンクアーム３５の後端部に回転可能に連結されている。このリンクアーム３５は、支持軸３５ｂを介して上下に傾動可能な状態で本体ハウジング２ａに支持されている。
左右スイッチレバー３１，４１の一方を圧縮ばね３２（または４２）の付勢力に抗してオン操作すると、該一方のスイッチレバー３１（または４１）が支持軸部３０ａを中心にして水平方向に傾動し、これにより前部のリンクアーム係合部３３が右方（または左方）に変位する。リンクアーム係合部３３のガイド孔３３ａは、その中央を境にして左右に下る方向に傾斜しているので、該リンクアーム係合部３３が右方または左方に変位すると、支持球３４ａが強制的に下方に変位され、これにより作動軸３４がその軸方向下方へ変位する。作動軸３４の変位により支持軸３５ａが下方へ変位し、これによりリンクアーム３５が支持軸３５ｂを中心にしてその先端側を上方へ変位させる方向（図２および図３において反時計回り方向）に傾動する。
【００１７】
リンクアーム３５の先端上方には、リフタピン３６が本体ハウジング２ａに上下動可能に支持されている。リフタピン３６の上端部は前記リフタプレート７２の第３係合片７２ｃの下側に至っている。このため、補助ハンドル３０，４０の一方を把持してスイッチレバー３１（または４１）をオン操作すると、リフタピン３６が上動し、これにより第３係合片７２ｃが突き上げられてリフタプレート７２が上方へ変位し、従って作動軸７１が圧縮ばね７１ａに抗して上昇する。右スイッチレバー３１をオン操作した場合と、左スイッチレバー４１をオン操作した場合で、上記リフタピン３６ひいては作動軸７１の上昇距離は同じであり、この上昇距離はメインスイッチ７０のボタン７０ａをオンさせるには至らない距離に設定されている。
【００１８】
フロントハンドル１０のスイッチレバー１１のオン操作による作動軸７１の上昇距離、メインハンドル２０のスイッチレバー２１のオン操作による作動軸７１の上昇距離、補助ハンドル３０（または４０）のスイッチレバー３１（または４１）のオン操作による作動軸７１の上昇距離のいずれか２つの移動距離が合計されることにより該作動軸７１によりメインスイッチ７０のボタン７０ａがオンされる。すなわち、フロントハンドル１０のスイッチレバー１１、メインハンドル２０のスイッチレバー２１、補助ハンドル３０（または４０）のスイッチレバー３１（または４１）のいずれか２つのスイッチレバー１１，２１（または１１，３１、または１１，４１、または２１，３１、または２１，４１）をオン操作すると、メインスイッチ７０がオンされて当該ヘッジトリマ１が作動する。いずれか１つのスイッチレバー１１（または２１、または３１、または４１）をオン操作しただけでは作動軸７１の上昇距離が不十分でメインスイッチ７０はオンされず、従ってヘッジトリマ１は作動しない。
スイッチレバー１１，２１，３１，４１の何れもオン操作しない状態では、作動軸７１は圧縮ばね７１ａによりメインスイッチ７０から最も離れた位置に保持されている。この状態では、作動軸７１の下端部７１ｂが前記規制スリーブ５９の上端に張り出し形成した規制片５９ａ，５９ａに係合する状態となり、これにより規制スリーブ５９ひいては中間スリーブ５３、駆動スリーブ５６の回転が規制されて切断刃３，４がロックされた状態となっている。スイッチレバー１１，２１，３１，４１のいずれか１つがオン操作されて作動軸７１が上昇した時点で該作動軸７１の下端部７１ｂが規制片５９ａから外れて、規制スリーブ５９、中間スリーブ５３、駆動スリーブ５６が回転可能な状態となり、従って切断刃３，４が往復動可能な状態となる。
【００１９】
以上のように構成した本実施形態のヘッジトリマ１によれば、１つのメインハンドル２０と２つの補助ハンドル３０，４０が本体２の後面の上部１箇所と下部の左右２箇所から後方へ延びた状態に設けられている。このため、図６に示すように例えば生け垣Ｇの上面を剪定する場合には、使用者はフロントハンドル１０の上部とメインハンドル２０を把持することにより切断刃３，４を横向きにすることができ、この場合使用者は楽な姿勢で当該ヘッジトリマ１により剪定作業を行うことができる。
次に、図７に示すように生け垣Ｇの側面の剪定作業を行う場合には、使用者はフロントハンドル１０の側部と右補助ハンドル３０を把持することにより切断刃３，４を縦向きにすることができる。切断刃３，４を縦向きにした状態であっても、使用者は真っ直ぐに立った正立姿勢のまま両ハンドル１０，３０を楽に把持することができる。すなわち、この場合、右スイッチレバー３１が下方に向いた状態の右補助ハンドル３０を把持することができるので、図６に示したメインハンドル２０のスイッチレバー２１と全く同じ握りとなり、この点で把持する手をひねったりすることなく右補助ハンドル３０を把持することができる。
【００２０】
このように、当該ヘッジトリマ１を切断刃３，４が横向きの状態から縦向きの状態に移動させても、本体２の後部側については全く同じ握りのハンドルを把持することができるので、従来のようにハンドル１０２を回転させる操作をすることなく、楽な姿勢で選定作業を行うことができる。
また、生け垣Ｇの図７に示した側とは反対側の側面の剪定作業を行う場合には、当該ヘッジトリマ１を反対側へ９０゜倒して切断刃３，４を縦向きにした状態で、フロントハンドル１０の反対側の側部と、左補助ハンドル４０を把持することができる。この場合、左補助ハンドル４０のスイッチレバー４１が下方を向いているので、図６に示した切断刃３，４の横向き状態におけるメインハンドル２０と全く同じ握りとなり、従って上記と同様手をひねったりすることなく左補助ハンドル４０を把持することができる。
また、切断刃３，４が届きにくい高所や遠所の剪定作業を行う場合、メインハンドル２０と右補助ハンドル３０、またはメインハンドル２０と左補助ハンドル４０を把持することができ、この状態でスイッチレバー２１とスイッチレバー３１を同時にオン操作してヘッジトリマ１を作動させることができる。この点は、生け垣Ｇの上面を剪定する場合（図６に示す場合）、生け垣Ｇの側面を剪定する場合（図７に示す場合）、生け垣Ｇの反対側の側面を剪定する場合（図８に示す場合）のいずれにも適用できる。
【００２１】
さらに、本実施形態のヘッジトリマ１によれば、作動軸７１の一定以上の軸方向への移動によりメインスイッチ７０をオンさせる構成となっている。作動軸７１は、各ハンドル１０，２０，３０，４０のスイッチレバー１１，２１，３１，４１をオン操作することによりその軸方向へ移動する。スイッチレバー１１のオン操作は、作動アーム１３の傾動動作を介して作動軸７１に伝達される。また、スイッチレバー２１のオン操作は、該スイッチレバー２１の先端部の上方への変位により作動軸７１に伝達される。さらに、補助ハンドル３０，４０のスイッチレバー３１，４１のオン操作は、作動軸３４の軸方向への変位によるリンクアーム３５の上方への傾動動作を介して作動軸７１に伝達される。
【００２２】
このように各スイッチレバー１１，２１，３１，４１のオン操作は、作動アーム１３、スイッチレバー２１の先端部、リンクアーム３５等の剛体の傾動動作によりなされる構成であるので、各スイッチレバー１１，２１，３１，４１のオン操作を確実に作動軸７１に伝達することができる。これに対して、従来例えばドイツ連邦共和国特許ＤＥ４４２１７４６号公報に開示されたヘッジトリマは、スイッチレバーのオン操作をワイヤーを介してメインスイッチをオンさせる作動部材に伝達する構成を備えている。この従来構成ではワイヤーを介して操作を伝達するため、作動不良や耐久性が低い問題があったが、本実施形態の構成によれば、作動アーム１３、スイッチレバー２１の先端部、リンクアーム３５等の剛体の傾動動作を介してオン操作を伝達する構成であるので、オン操作を確実に伝達することができ、また耐久性を高くすることができる。
【００２３】
以上説明した実施形態には、種々変更を加えることができる。以下の変更を加えた構成は特許請求の範囲に記載した発明には含まれないが、当該ヘッジトリマを横向きと縦向きに変更して使用する場合の使い勝手を向上させる点で同様の作用効果を得ることができる。
例えば、２つの補助ハンドル３０，４０の後端部を相互に連結してループ形状とする構成を例示したが、連結することなく相互に平行に延びる補助ハンドルとしてもよい。
また、スイッチレバーのオン操作により移動する作動部材の例として作動軸７１を例示したが、これに代えて例えば傾動する作動部材を設け、この作動部材の傾動角度が一定量に達した時点でメインスイッチがオンする構成としてもよい。
さらに、フロントハンドル１０のスイッチレバー１１とメインハンドル２０のスイッチレバー２１、あるいはメインハンドル２０のスイッチレバー２１と一方の補助ハンドル３０（４０）のスイッチレバー３１（４１）といったように２つのスイッチレバーを同時にオン操作して作動させる形態のヘッジトリマ１を例示したが、一つのスイッチレバーをオン操作すれば作動する形態のヘッジトリマに適用することもできる。この場合、例えば補助ハンドル３０（４０）のスイッチレバー３１（４１）を省略することができる。
【図面の簡単な説明】
【図１】  本発明の実施形態を示す図であり、ヘッジトリマの全体斜視図である。
【図２】  ヘッジトリマの内部構造を示す側面図である。
【図３】  ヘッジトリマの駆動系路および作動軸周辺の拡大図である。
【図４】  リフタプレート単体の斜視図である。
【図５】  例示した実施形態に係る補助ハンドル単体の斜視図である。
【図６】  ヘッジトリマの後面図である。本図は、ヘッジトリマの使用形態を示す図であって、切断刃を横向きにして生け垣の上面を剪定する場合を示している。
【図７】  ヘッジトリマの後面図である。本図は、ヘッジトリマの使用形態を示す図であって、切断刃を縦向きにして生け垣の側面を剪定する場合を示している。
【図８】  ヘッジトリマの後面図である。本図は、ヘッジトリマの使用形態を示す図であって、切断刃を縦向きにして生け垣の反対側の側面を剪定する場合を示している。
【図９】  従来のヘッジトリマの後面図である。
【図１０】  従来のヘッジトリマの後面図である。本図は、本体に対してハンドルを９０゜回転させた状態を示している。
【図１１】  従来のヘッジトリマの後面図である。本図は、本体に対してハンドルが固定されたタイプのヘッジトリマを示している。
【符号の説明】
１…ヘッジトリマ
２…本体、２ａ…本体ハウジング
３，４…切断刃
１０…フロントハンドル、１１…スイッチレバー
１３…作動アーム
２０…メインハンドル、２１…スイッチレバー
３０…（右）補助ハンドル、３１…（右）スイッチレバー
３５…リンクアーム
３６…リフタピン
４０…（左）補助ハンドル、４１…（左）スイッチレバー
５０…駆動モータ
５４…捩りばね
７０…メインスイッチ、７０ａ…ボタン
７１…作動軸
７２…リフタプレート
１００…ヘッジトリマ（従来）
Ｇ…生け垣
【図１】
0003805976.tif 000002
【図２】
0003805976.tif 000003
【図３】
0003805976.tif 000004
【図４】
0003805976.tif 000005
【図５】
0003805976.tif 000006
【図６】
0003805976.tif 000007
【図７】
0003805976.tif 000008
【図８】
0003805976.tif 000009
【図９】
0003805976.tif 000010
【図１０】
0003805976.tif 000011
【図１１】
0003805976.tif 000012